(57)【要約】【課題】背アウターシェルを複数のエレメントに分かれており、隣り合ったエレメントがヒンジ部を介して相対回動（屈曲）可能に連結されている椅子において、改良されたヒンジ部を提供する。【解決手段】隣り合ったエレメント２３ａ〜２３ｆは、エラストマーよりなるバンドヒンジ５５で連結されている。バンドヒンジ５５は、エレメント２３ａ〜２３ｆの手前に配置されており、スライド型６１を有する金型装置を使用した二色成形法によって成形される。従って、バンドヒンジ５５は高い精度で成形されると共に、背アウターシェルのエレメント２３ａ〜２３ｆに対してむらなくかつ高い強度で接着する。【選択図】図８
2017086374.tif 000002
【特許請求の範囲】
【請求項１】
背もたれ又は座若しくはその他の身体支持体が、相対回動可能な複数の樹脂製エレメントで構成されており、隣り合ったエレメントがヒンジによって連結されている構成であって、
前記各エレメントは、強度メンバーとしての単位シェル体を有しており、前記ヒンジは、前記単位シェル体よりも軟質の樹脂材から成っており、帯状の形態を成して隣り合った単位シェル体に一体成形されている、
椅子の身体支持体。
【請求項２】
前記隣り合った単位シェル体間には隙間があいており、前記ヒンジによって前記隙間が塞がれた状態になっている、
請求項１に記載した椅子の身体支持体。
【請求項３】
前記各単位シェル体の外周には壁状のリブが形成されており、前記ヒンジは、少なくとも、隣り合った単位シェル体におけるリブの端面に一体成形されている、
請求項１又は２に記載した椅子の身体支持体。
【請求項４】
前記身体支持体は、背アウターシェルの手前に背クッション材が配置された背もたれであって、
前記背アウターシェルは、正面視で左右方向の中間部に位置したセンターエリアと、前記センターエリアの左右両側に配置されたサイドエリアとを有しており、前記センターエリアとサイドエリアとを上下複数段に分割することによって、前記背アウターシェルが、前記各エレメントに対応した多数の単位シェル体で分離しており、隣り合った単位シェル体は、前記ヒンジとしての帯状軟質樹脂材で連結されている一方、
前記背クッション材は全体として１枚の構造であり、正面視で前記帯状軟質樹脂材と重なる前向き開口の溝を形成することによって多数のエレメントに区画されており、前記溝の個所が屈曲自在なヒンジ部になっている、
請求項１〜３のうちのいずれかに記載した椅子の身体支持体。
【請求項５】
前記軟質樹脂材はエラストマーである、
請求項１〜４のうちのいずれかに記載した椅子の身体支持体。
【請求項６】
複数の単位シェル体が屈曲可能に連結されている椅子用アウターシェルの製造方法であって、
密着離反する一対のメイン金型を備えた金型装置を使用して、まず、前記複数の単位シェル体を所定の位置に配置された状態に製造し、
次いで、前記金型装置のうち、隣り合った単位シェル体の間の個所に対応した部分を一部だけ後退させることにより、隣り合った単位シェル体の縁部が露出した浅い帯状空間を形成し、次いで、前記浅い帯状空間に溶融した軟質樹脂材を注入して固まらせることにより、隣り合った単位シェル体を繋ぐ帯状軟質樹脂材を形成する、
椅子用アウターシェルの製造方法。
【請求項７】
複数の単位シェル体が屈曲可能に連結されている椅子用アウターシェルを製造するための金型装置であって、
密着離反する一対のメイン金型を備えており、前記メイン金型の合わせ面には、前記複数の単位シェル体を所定の位置に配置された状態に成形するための空間が形成されており、更に、前記一対のメイン金型のうち一方又は両方に、隣り合った単位シェル体を連結する帯状軟質樹脂材を形成するためのスライド型が装着されている、
椅子用アウターシェルの製造装置。
【請求項８】
複数の単位シェル体が屈曲可能に連結されている椅子用アウターシェルの製造方法であって、
前記複数の単位シェル体を製造してから、前記各単位シェル体を、所定の姿勢に並べた状態で金型装置にインサートし、次いで、型締めしてから、隣り合った単位シェル体の個所にヒンジとなる軟質樹脂材を溶融した状態で注入してから固まらせる、
椅子用アウターシェルの製造方法。
【発明の詳細な説明】
【技術分野】
【０００１】
本願発明は、背もたれや座のような椅子を構成する身体支持体とその製造方法、及び製造装置（金型装置）に関するものである。
【背景技術】
【０００２】
例えばオフィスで多用されている回転椅子は、座と背もたれとを必須の要素にしている。座及び背とも、使用者の身体に対するフィット性やクッション性が求められており、クッション性を確保する手段としては、例えば、身体に当たる部位をスポンジやウレタンフォームのようなクッション材で構成することが行われている。
【０００３】
例えば背もたれは、人の身体に合わせて前面（体圧支持面）が丸みを帯びた形状に設定されているが、通常は、背もたれは予め設定した一定の形状のままであり、使用者の身体が当たっていないニュートラル状態であっても、使用者の体圧が大きく掛かっているロッキング状態であっても、背もたれの形状は一定のままであることが殆どである（体圧支持要素が体圧によって撓み変形することは別にして。）。
【０００４】
しかし、身体を直立させた状態と身体を後傾させたロッキング状態とでは、背もたれに対する身体の当たり方が相違するし、使用者が背もたれに求める役割も相違するから、使用者の姿勢に応じて好適な支持態様が実現されるように、背もたれの形状が変化するのが合理的である。このような視点に立って開発された椅子が、特許文献１，２に開示されている（両者は同一内容である。）。
【０００５】
特許文献１，２を図示された実施形態（第１実施形態）に基づいて述べると、背もたれは、左右方向にはセンターエリアと左右のサイドエリアとに三分割されて、センターエリアとサイドエリアとは、それぞれ上段、中段、下段の３段に分割されており、従って、背もたれは全体として９枚のエレメント（パート）とからなっていて、隣り合ったエレメントは、相対回動できるようにヒンジ部を介して繋がっている。そして、特許文献１，２には、ヒンジとして、「フィルムヒンジ」と「マテリアルブリッジ」が開示されている。
【０００６】
また、背アウターシェルのヒンジ部として、特許文献３では、背アウターシェルの一部を波形に形成することが開示されている。
【先行技術文献】
【特許文献】
【０００７】
【特許文献１】国際公開ＷＯ２０１３／１６４０７８号
【特許文献２】特表２０１５−５１９１１１号公報
【特許文献３】米国特許第４７１１４９１号明細書
【発明の概要】
【発明が解決しようとする課題】
【０００８】
特許文献１，２には、「フィルムヒンジ」と「マテリアルブリッジ」について図示した説明はなされていないが、いずれにしても、耐久性や強度、或いは円滑な屈曲を十分に確保できるか否か不明である。また、特許文献３は、背アウターシェルの一部をヒンジ部と成したものであるが、背もたれが特許文献１，２のような多数のエレメントで構成されている場合は適用することが困難であると推測される。また、波形の形態が人に違和感を与えることも懸念される。
【０００９】
本願発明は、このような現状を背景に成されたものである。すなわち、特許文献１，２の背もたれは椅子用の形状可変式身体支持体として敷衍できるが、本願発明は、椅子用の形状可変式身体支持体に関する改良された技術を提供せんとするものである。
【課題を解決するための手段】
【００１０】
本願発明は、複数の側面を備えている。１つの側面と、身体支持体自体であり、これは、典型的な構成を請求項１〜５で特定している。すなわち、まず、請求項１の発明は、背もたれ又は座若しくはその他の身体支持体が、相対回動可能な複数の樹脂製エレメントで構成されており、隣り合ったエレメントがヒンジによって連結されている構成であって、前記各エレメントは、強度メンバーとしての単位シェル体を有しており、前記ヒンジは前記単位シェル体よりも軟質の樹脂材から成っており、前記ヒンジが帯状の形態を成して隣り合った単位シェル体に一体成形されている。
【００１１】
請求項２の発明は、請求項１において、前記隣り合った単位シェル体間には隙間があいており、前記ヒンジによって前記隙間が塞がれた状態になっている。また、請求項３の発明は、前記各単位シェル体の外周には壁状のリブが形成されており、前記ヒンジは、少なくとも、隣り合った単位シェル体におけるリブの端面に一体成形されている。
【００１２】
請求項４の発明では、請求項１〜３のうちのいずれかにおいて、身体支持体が、背アウターシェルの手前に背クッション材が配置された背もたれに特定されている。そして、前記背アウターシェルは、正面視で左右方向の中間部に位置したセンターエリアと、前記センターエリアの左右両側に配置されたサイドエリアとを有しており、前記センターエリアとサイドエリアとを上下複数段に分割することによって、前記背アウターシェルが、前記各エレメントに対応した多数の単位シェル体で分離しており、隣り合った単位シェル体は前記帯状軟質樹脂材で連結されている一方、前記背クッション材は全体として１枚の構造であり、正面視で前記帯状軟質樹脂材と重なる前向き開口の溝を形成することによって多数のエレメントに区画されており、前記溝の個所が屈曲自在なヒンジ部になっている。
【００１３】
帯状軟質樹脂材となる素材は種々のものを採用できるが、請求項５では、前記軟質樹脂材はエラストマーが採用されている。
【００１４】
他の一つの側面は、製法である。このうち請求項６では、いわゆる二色成形法を採用している。すなわち、複数の単位シェル体が屈曲可能に連結されている椅子用アウターシェルの製造方法であって、密着離反する一対のメイン金型を備えた金型装置を使用して、まず、前記複数の単位シェル体を所定の位置に配置された状態に製造する。
【００１５】
次いで、前記金型装置のうち、隣り合った単位シェル体の間の個所に対応した部分を一部だけ後退させることにより、隣り合った単位シェル体の縁部が露出した浅い帯状空間を形成し、次いで、前記浅い帯状空間に溶融した軟質樹脂材を注入して固まらせることにより、隣り合った単位シェル体を繋ぐ帯状軟質樹脂材を形成する。
【００１６】
本願発明の他の一つの側面は、請求項７で特定されている製造装置（金型装置）であり、これは、請求項４の製法に使用されるものである。すなわち、この装置は、複数の単位シェル体が屈曲可能に連結されている椅子用アウターシェルを製造するための金型装置であり、密着離反する一対のメイン金型を備えており、前記メイン金型の合わせ面には、前記複数の単位シェル体を所定の位置に配置された状態に成形するための空間が形成されており、更に、前記一対のメイン金型のうち一方又は両方に、隣り合った単位シェル体を連結する帯状軟質樹脂材を形成するためのスライド型が装着されている。
【００１７】
請求項８の発明は、製法に関する。この製法は、複数の単位シェル体が屈曲可能に連結されている椅子用アウターシェルの製造方法であって、前記複数の単位シェル体を製造してから、前記各単位シェル体を、所定の姿勢に並べた状態で金型装置にインサートし、次いで、型締めしてから、隣り合った単位シェル体の個所にヒンジとなる軟質樹脂材を溶融した状態で注入してから固まらせるものである。
【発明の効果】
【００１８】
請求項１の発明によると、帯状軟質樹脂材は単位シェル体に一体成形されているため、高い接着強度を確保できると共に、接着ムラが無くて加工精度においても優れている。また、ヒンジは単位シェル体よりも軟質の樹脂材で構成されているため、単位シェル体を例えばポリプロピレンのような硬い樹脂で製造することによって保形性・強度を確保しつつ、屈曲も滑らかでかつ耐久性や強度にも優れたものとすることができる。更に、椅子において、背アウターシェル等のアウターシェルは立体的な形状になっているのが普通であるが、ヒンジとして帯状軟質樹脂材を一体成形することにより、隣り合った単位シェル体を確実かつ正確に連結できる。従って、信頼性にも優れている。帯状軟質樹脂材はフラット状であるため、露出しても人に違和感を与えることはなくて、美観にも優れている。
【００１９】
請求項２のように隣り合った単位シェル体の間に隙間を設けると、軟質樹脂材より成るヒンジの曲がり代を大きくとることができるため、ヒンジの耐久性を向上させることができる。また、一般に、ヒンジは単位シェル体の内面に一体成形されるが、単位シェル体を例えば二色成形法で成形する場合、一般に、単位シェル体は外面が固定型（キャビ）で形成される。そして、樹脂を注入するゲートは固定型に設けることが多いため、請求項３のように隣り合った単位シェル体の間に隙間を空けると、固定型にゲートを設けてヒンジを容易に成形できる。この点も、請求項２の利点の一つである。
【００２０】
請求項３の構成を採用すると、単位シェル体の外周に壁があることにより、当該単位シェル体の剛性を高めて強度を向上できる。そして、軟質樹脂よりなる帯状のヒンジはリブの端面に重なっているため、ヒンジを二色成形法で成形するにしてもインサート成形法で清成形するにしても、金型装置にヒンジ成形用の空間を形成することが簡単であり、結果として、ヒンジを容易に成形できる。
【００２１】
ヒンジとしての帯状軟質樹脂材はどの方向にも変形するため、特許文献１，２のように多数の身体支持体がエレメントで構成されている場合でも、隣り合ったをエレメントを容易に相対回動させることができる。
【００２２】
従って、請求項４のように背もたれに採用すると、その価値が強く発揮されると云える。また、背クッション材について見ると、要素がバラバラであると、取り扱いや組み立てが面倒であるが、請求項４では、背クッション材は全体が一体の構造であり、ヒンジ部となる個所が溝によって形成されているため、全体としての取り扱いが容易であり、しかも、屈曲を確実なものとすることができる。
【００２３】
ヒンジとなる軟質樹脂材は様々なものを採用できるが、請求項５のエラストマーは、接着性や成形性、強度などに優れているため、本願発明のヒンジとして好適である。
【００２４】
帯状軟質樹脂材を単位シェル体に一体成形することは、請求項６の二色成形法や請求項８のインサート成形法、及び請求項７の製造装置を採用することにより、容易に実現できる。従って、請求項６，８の実用的な価値は高いと云える。特に、請求項６の二色成形法を採用すると、単位シェル体を正確に配置した状態に製造できるため、より一層高い品質を確保できると云える。
【図面の簡単な説明】
【００２５】
【図１】実施形態に係る椅子の外観を示す図で、（Ａ）は前から見た全体の斜視図、（Ｂ）は平面図、（Ｃ）は後ろから見た斜視図である。
【図２】実施形態に係る椅子の外観を示す図で、（Ａ）は正面図、（Ｂ）は背面図、（Ｃ）は側面図、（Ｄ）は背もたれのみの正面図である。
【図３】背もたれの動きを示す図で、（Ａ）は非ロッキング状態への移行を示す側面図、（Ｂ）はロッキング状態への移行を示す側面図、（Ｃ）は各状態を併記した平面図、である。
【図４】背もたれを示す図で、（Ａ）は背アウターシェルを表示した斜視図、（Ｂ）は背アウターシェルを省略した斜視図である。
【図５】（Ａ）は背もたれの分離斜視図、（Ｂ）は背クッション材を後ろから見た斜視図である。
【図６】背もたれの構成要素の分離斜視図である。
【図７】（Ａ）は背インナーシェルを後ろから見た斜視図、（Ｂ）は背インナーシェルを下方から見た部分斜視図である。
【図８】（Ａ）は図２（Ａ）のVIIIA-VIIIA視断面図、（Ｂ）は図８（Ａ）のVIIIB-VIIIB視断面図、（Ｃ）（Ｄ）は背アウターシェルの製造装置及び方法の例を示す要部断面図である。
【図９】（Ａ）はクッションを省略した状態での背もたれの部分的な斜視図、（Ｂ）はアウターシェルの部一部斜視図である。
【図１０】（Ａ）はクッションを省略した状態での背もたれの部分的な斜視図、（Ｂ）は背アウターシェルの部分的な斜視図である。
【発明を実施するための形態】
【００２６】
次に、本願発明の実施形態を図面に基づいて説明する。本実施形態は，オフィス用に多用されている回転椅子に適用している。以下の説明で、方向を特定するため前後・左右の文言を使用するが、これは、椅子に普通に腰掛けた人から見た状態として定義している。正面視は、椅子の着座者と対向した姿勢である。
【００２７】
(1).椅子の概要
まず、図１〜図３に基づいて椅子の概要を説明する。椅子の基本構成は従来と同様であり、図１，２に示すように、主要構成要素として脚装置１、座２、背もたれ３を備えている。また、オプション品として、肘掛け装置４とハンガー５とヘッドレスト６とを備えている。
【００２８】
脚装置１はガスシリンダより成る脚支柱７を有しており、脚支柱７は、放射状に広がる複数本の枝アーム８で支持されている。各枝アーム８の先端にはキャスタを設けている。図３に示すように、脚支柱７の上端には固定ベース９が取り付けられており、固定ベース９のうち脚支柱５よりも手前側の部位に、傾動ベース１０が左右横長の支軸１１によって連結されている。これら固定ベース９と傾動ベース１０とを主要部材として、座２と背もたれ３とが取り付くベース部が構成されている。
【００２９】
背もたれ３は、傾動ベース１０と一緒にロッキングする。また、座受け部材１２は、傾動ベース９の後傾動に連動して後退及び後傾する。従って、座２は、背もたれ３の後傾動に連動して後退及び後傾する（シンクロする。）。
【００３０】
(2).背もたれの外観上の概略
図１に示すように、背もたれ３は、主要要素として、背アウターシェル２３とその手前に配置された背クッション材２４とを備えている。背アウターシェル２３は、身体支持体の一例である。図２（Ｄ）に明示するように、背もたれ３は（或いは、背アウターシェル２３及び背クッション材２４は）、左右方向にはセンターエリア２５と左右のサイドエリア２６の３つのエリアに分かれていて、上下方向には、上段エリア２７と中段エリア２８と下段エリア２９との３段のエリアに分かれている。
【００３１】
従って、背もたれ３は、上段センターエレメントａ、中段センターエレメントｂ、下段センターエレメントｃ、左右の上段サイドエレメントｄ、左右の中段サイドエレメントｅ、左右の下段サイドエレメントｆの９枚のエレメントに分かれている。エレメントａ〜ｆは背アウターシェル２３と背クッション材２４とに共通した区分であり、背もたれ３の全体としてエレメントとして表示する場合は、単にａ〜ｆの符号を引用する。他方、背アウターシェル２３及び背クッション材２４の要素としてのエレメントを個別に表示する必要がある場合は、２３，２４に符号ａ〜ｆを付記している。
【００３２】
従って、まず、背アウターシェル２３は、背アウターシェル上段センターエレメント２３ａ、背アウターシェル中段センターエレメント２３ｂ、背アウターシェル下段センターエレメント２３ｃ、背アウターシェル上段サイドエレメント２３ｄ、背アウターシェル中段サイドエレメント２３ｅ、背アウターシェル下段サイドエレメント２３ｆに区分される。背アウターシェル２３の各エレメント２３ａ〜２３ｅは、請求項に記載した単位シェル体に相当する。
【００３３】
同様に、背クッション材２４は、背クッション材上段センターエレメント２４ａ、背クッション材中段センターエレメント２４ｂ、背クッション材下段センターエレメント２４ｃ、背クッション材上段サイドエレメント２４ｄ、背クッション材中段サイドエレメント２４ｅ、背クッション材サイドエレメント２４ｆに区分される。
【００３４】
背クッション材２４において、隣り合ったエレメント２４ａ〜２４ｆの境界には、前向きに開口した溝３０が形成されている。溝３０の個所は薄肉のヒンジ部になっている。従って、背クッション材２４は単一の部材として製造されつつ、隣り合ったエレメントａ〜ｆは溝３０によって区分されている。背クッション材２４の各エレメント２４ａ〜２４ｆは、溝３０の存在によって高原状の形態を成しているが、身体が当たる面はほぼ平坦になっている。なお、背もたれ３は（背アウターシェル２３及び背クッション材２４は）、左右対称の形状である。
【００３５】
上段センターエレメントａと下段センターエレメントｃとはやや横長の台形であり、中段センターエレメントｂは縦横が同じ程度の逆台形である。また、上段サイドエレメントｄは概ね逆台形であり、中段サイドエレメントｅは上下に長い台形であり、下段サイドエレメントｆは逆三角形である。従って、背もたれ３は、正面視で、上段エリアント２７と中段エレメント２８とによって窄まる形態になって、中段エレメント２８と下段エリア２９とによって膨れた形態になっている。なお、背もたれ３は、正面視で全体として縦長の長方形状や逆台形状等に形成することは可能である。
【００３６】
また、各サイドエレメントｄ〜ｆは，各センターエレメントａ〜ｃに対して手前に向くように傾いている。すなわち、サイドエレメントｄ〜ｆは、着座者の身体を包むように傾斜している。従って、背もたれ３は、平面視では前向き凹の形態を成している。他方、背もたれ３は、側面視では、中段エレメンエリア２８と下段エレメント２９とによって前向き凸の山形が形成されており、このため、背クッション材中段センターエレメント２４ｂと背クッション材下段センターエレメント２４ｃとにより、着座者の腰部（腰椎部）を支える凸部Ｌが形成されている。
【００３７】
他方、上段エリア１８と中段エリア２９とは、側面視において少し前向き凹部状に屈曲している。上段センタールエレメントａと中段センターエレメントｂとは、平坦状の形態と成したり、逆に、側面視で前向き凸状に屈曲させたりすることも可能である。
【００３８】
背アウターシェル２３及び背クッション材２４とも、上段センターエレメント２３ａ，２４ａと中段センターエレメント２３ｂ，２４ｂとは相対回動不能に一体化している。従って、背クッション材２４において、上段センターエレメント２４ａと中段センターエレメント２４ｂとの境界部に形成された溝３０は、他の溝との統一性を出して美観を高めることを主目的としており、この部分で屈曲するものではない。背アウターシェル２３及び背クッション材２４とも、他の隣り合ったエレメントは相対回動可能に繋がっている。
【００３９】
背支持フレーム１３は金属ダイキャスト品又は樹脂成形品であり、背もたれ３の後ろにおいて上向きに延びる背支柱１３ａを有している。そして、背支柱１３ａの上端に、背アウターシェル２３の中段センターエレメント３１が左右横長のピン（図示せず）で連結されている。従って、ロッキング時に、背支柱１３ａは背もたれ３とは相対回動する。
【００４０】
図示していないが、背アウターシェルセンターエレメント２３ｃの下端は、座リアアウターシェル２１の後端部に左右横長のピンで連結されている。このため、背アウターシェルセンターエレメント２３ｃの下端は、左右一対の連結用凸部４０が形成されている。
【００４１】
(3).背もたれの変形態様
図３（Ａ）〜（Ｃ）では、非ロッキング状態でかつ人が背もたれ３に背を当てていない基準状態（ニュートラル状態）を符号Ｎで示し、非ロッキング状態で着座者が上半身を略直立させた執務姿勢での背もたれ３の形状を符号Ｆで示している。そして、下段センターエレメントｃが座リアアウターシェル２１に連結されているため、着座者が背もたれ３の凸部Ｌのみに腰を当てると、凸部Ｌが弾性ストッパー４１後退すると共に、中段センターエレメントｂと下段センターエレメントｃとの開き角度が大きくなる。かつ、上段センターエレメントａと前向き移動する。
【００４２】
つまり、背もたれ３は、執務状態Ｆでは、ニュートラル状態Ｎに対して前傾する。なお、図３（Ａ）では、背もたれ３の下端が後ろに後退した状態を描いているが、実際には、背もたれ３の下端の前後位置は一定である。図２（Ｃ）に示すように、背支柱１３ａの上端部と背アウターシェル中段エレメントト２３ｂとの間には弾性ストッパー４１が配置されており、背アウターシェル中段エレメントト２３ｂは、弾性ストッパー４１を潰し変形させて手前側に回動する。従って、背もたれ３は、弾性ストッパー４１によってニュートラル状態Ｎが保持されている。
【００４３】
他方、上下３段のサイドエレメントｄ〜ｆは上下に繋がっているため、中段センターエレメントｂと下段センターエレメントｄとの開き角度が大きくなると、迫り出し作用により、センターエレメントａ〜ｃに対する夾角が小さくなるように手前側に回動する。従って、サイドエレメントａ〜ｃは着座者の身体を包む方向に回動して、着座者の身体に対するホールド作用が高くなる。その結果、着座者は、疲れることなく長時間の執務を行うことが可能になる。
【００４４】
図３（Ｂ）では、着座者が中段センターエレメントｂと上段センターエレメントａとに身体を当ててもたれ掛かったロッキング状態での背もたれ３の姿勢を符号Ｒで示している。但し、図３（Ｂ）では、背もたれ３の下端がニュートラル状態Ｎに対して前進した状態を表示しているが、これは動きの傾向を示したものであり、実際には、背もたれ３は全体的に後傾する。
【００４５】
従って、図３（Ｂ）に示すロッキング状態Ｒは、ニュートラル状態Ｎとの関係を示すものである。そして、背もたれ３がロッキング状態Ｒに移行すると、背もたれ３は、背支柱１３ａを上端部を中心にして後傾する動きに移行しようとするが、背もたれ３の下端は座リアアウターシェル２２に連結されているため、ニュートラル姿勢Ｎに対する相対的な後傾量は少ない。
【００４６】
そして、座アウターシェル１８の後傾角度よりも背支持フレーム１３の後傾角度が大きいことに起因して、背もたれ３は、ニュートラル状態Ｎに対して相対的に後傾するため、中段センターエレメントｂと下段センターエレメントｃとの成す夾角は小さくなる。つまり、ロッキング時には、着座者は身体を伸ばすことから、人の体圧は、中段センターエレメントｂと上段センターエレメントａとに掛かるため、中段センターエレメントｂと下段センターエレメントｃとの成す夾角は小さくなる。すると、サイドエレメントｄ〜ｆが互いに繋がっているため、サイドエレメントｄ〜ｆはセンターエレメントａ〜ｃによって押し出し作用を受け、その結果、サイドエレメントｄ〜ｆは、センターエレメントａ〜ｃに対する夾角を広げるように回動する（屈曲する）。従って、背もたれ３は、平面視で平坦な状態に向かう方向に広がり変形する。
【００４７】
着座者が執務姿勢からロッキング姿勢に移行すると、サイドエレメントｄ〜ｆは、着座者を包むように狭まった状態から、着座者から離れるように広がる。従って、ロッキング状態では、人の解放性が高くなる。
【００４８】
図３（Ｃ）では、左右の上段サイドエレメントｄは執務状態Ｆのみを表示している。また、下段サイドエレメントｆは、右側ではニュートラル状態Ｎと執務状態Ｆとロッキング状態Ｒとの３つの態様を重ねて表示しておおり、左側では、ニュートラル状態Ｎとロッキング状態Ｒとの２つの状態を重ねて表示している。
【００４９】
また、図３（Ｃ）では、ロッキング状態Ｒにおいて、上段エレメントａ，ｄがニュートラル姿勢Ｎに対して後退した状態を表示しているが、実際には、背もたれ３は全体として後傾しているので、ロッキング時には、上段エレメントａ，ｄは（Ｃ）で表示した位置よりも後方（図では下方）にずれることになる。
【００５０】
(4).背インナー枠
既に述べたように、背もたれ３は、主要要素として背アウターシェル２３と背クッション材２４とを備えているが、本実施形態では、更に、図４〜７の各図に示すように、主要要素として背インナー枠４２を備えている。背インナー枠４２は、ポリプロピレン等の樹脂を材料にした成形品である。なお、背インナー枠４２は背クッション材２４の形状を保持すると共に補強する保形部材の一例であるが、保形部材としては、前後に開口した背インナー枠４２の他に、背クッション材２４の略全体に重なるような面的ない広がりを持つ背インナーシェルも採用できる。
【００５１】
背インナー枠４２は、前後に開口したフレーム構造になっており、背クッション材２４は、インサート成形により、背インナー枠４２に固着（接着）されている。図４〜７の各図に示すように、背インナー枠４２は、背クッション材２４の外周部の背面に重なるループ形態の周枠部４３と、中段エレメント３１，３４の上端部に重なる左右長手の横長ジョイント部４４と、周枠部４３の上端部と横長ジョイント部４４とに繋がった額状部４５とかから成っている。
【００５２】
また、背インナー枠４２のうち背クッション材２４の溝３０（薄肉ヒンジ部）の個所には、背クッション材２４の隣り合ったエレメント２４ａ〜２４ｄが相対回動することを許容するため、ヒンジ部４６を形成している。横長ジョイント部４４は、ヒンジ部４６を介して周枠部４５と繋がっている。図９，１０に拡大して示すように、ヒンジ部４６は、正面視でジグザグ状にも形成されている。このため、変形はより一層容易になっている。
【００５３】
背インナー枠４２は、基本的には帯板の構造になっているが、例えば図７（Ｂ）に示すように、背クッション材下段センターエレメント２４ｆの下端部が重なるロア部４３ａには、断面Ｌ形で左右横長の補強部４７を設けている。図８に示すように、補強部４７は、背アウターシェル下段センターエレメント２３ｃに形成した前向きリブ４８を覆っている。例えば図９に示すように、周枠部４５には、背クッション材２４が入り込む貫通穴４９を多数形成している。背クッション材２４を構成する樹脂が貫通穴４９に入り込んで、リベットのような役割を果たすことにより、背クッション材２４との離脱（剥がれ）を防止している。
【００５４】
背インナー枠４２の額状部４５は、主として背アウターシェル２３への取り付けの補助のために設けたものであり、例えば図７に示すとおり、左右中間部は軽量化のためＸ字形に形成されていて、その左右両側に縦長板状部５０を設けている。
【００５５】
そして、図６，７，９，１０に示すように、縦長板状部５０や周枠部４５、横長ジョイント部４４に、背アウターシェル２３との連結のための連結穴５１を形成している。他方、背アウターシェル２３には、図６，９，１０に示すように、連結穴５１に嵌まる板状突起５１′が形成されている。背インナー枠４２と背アウターシェル２３との連結は図示しないクリップで行われる。連結穴５１に装着したクリップが、板状突起５１′に嵌着する。これらは本願発明との関連は薄いので説明は省略する。
【００５６】
額状部４５において、左右の縦長板状部５０の間の部位は、手前に凹んだ溝状部に５２になっている。この溝状部５２は、ヘッドレスト６の取り付けの補助的機能を有しているが、詳細は省略する。
【００５７】
また、額状部４５は背クッション材上段センターエレメント２４ａに重なって、横長ジョイント部４４は背クッション材中段センターエレメント２４ｂに重なっているため、額状部４５と横長ジョイント部４４とは屈曲しない構造になっている。換言すると、額状部４５と横長ジョイント部４４とを屈曲しない構造とすることにより、背クッション材２４の上段センターエレメント２４ａと中段エレメント２４ｂとは、溝３０が存在しても相対的に回動（屈曲）しない状態になっている。
【００５８】
(5).背アウターシェル
例えば図６に示すように、背アウターシェル２３は、上段センターエレメント２３ａと中段センターエレメント２３ｂとが一体であるのを除いて、各エレメント２３ａ〜２３ｆは別体の構造になっており、隣り合ったエレメント２３ａ〜２３ｆは、エラストマーよりなるバンドヒンジ５５によって一体に繋がっている。バンドヒンジ５５は帯状軟質樹脂材である。背アウターシェル２３において、隣り合ったエレメント２３ａ〜２３ｆの間にはある程度（例えば数ｍｍ）の隙間（間隔）が空いており、バンドヒンジ５５は、隙間を手前から塞いだ状態で帯状に形成されている。
【００５９】
図６に示すように、上段センターエレメント２３ａと中段センターエレメント２３ｂとの前面には、それらに連続した補強リブ５６が形成されている。また、各エレメント２３ａ〜２３ｆは、周囲に前向きリブ（壁）を有するシェル状（トレー状）に形成されている。従って、背アウターシェル２３の各エレメントはシェルと呼ぶことも可能である。
【００６０】
図８（Ａ）に明示するように、バンドヒンジ５５は、隣り合ったエレメント２３ａ〜２３ｆの前面（前向き向きリブ６３の端面）に重なっており、かつ、バンドヒンジ５５は、隣り合ったエレメント２３ａ〜２３ｆの間の隙間から少し裏側に露出している。このため、背アウターシェル２３の裏面には、バンドヒンジ５５の個所が溝の状態になって表れている（図４（Ａ）も参照）。例えば図４（Ａ）に示すように、背アウターシェル２３の上段センターエレメント２３ａと中段センターエレメント２３ｂとの境界部には、横長溝５７が形成されている。この横長溝５７は主として美観向上の目的で設けたものであり、この個所で屈曲するものではない。
【００６１】
図９の（Ａ）と（Ｂ）との比較からよく理解できるように、背インナー枠４２のヒンジ部４６は、背アウターシェル２３のバンドヒンジ５５に手前から重なるように配置されている。
【００６２】
バンドヒンジ５５は、二色成形法又はインサート成形によって成形されている。図８（Ｂ）（Ｃ）では、二色成形法を表示している。この二色成形法では、固定型（キャビ）５９と可動型（コア）５８とを有する金型装置が使用されて、両型５８，５９の合わせ面に、所定の位置と姿勢に配置された各エレメント２３ａ〜２３ｆに対応した単位空間６０が形成されている。各単位空間６０には、図示しないゲートが開口している。ゲートは、一般に固定型５８に設けている。
【００６３】
そして、例えば可動型５８のうち、隣り合った単位空間６０に跨がる部位を、可動型５８の移動方向と同じ方向にスライドするスライド型６１で構成し、スライド型６１に、エラストマー注入用のゲート６２を設けている。スライド型６１はバンドヒンジ５５に対応した形状であって一連に繋がっているので、ゲート６２は１か所でもよい（複数個所が好ましい。）。
【００６４】
また、ゲート６２は、図８（Ｃ）（Ｄ）に一点鎖線で示すように、固定型５９に設けることも可能である（こちらの方法が現実的にある。）。この場合は、ゲート６２は、背アウターシェル２３の隣り合ったエレメト（単位シェル）の間に位置している。逆に述べると、背アウターシェル２３の隣り合ったエレメントの間にある程度の間隔を空けることにより、ゲート６２を固定型５９に設けてバンドヒンジ５５を成形することが可能になっている。
【００６５】
また、例えば図６や図９（Ａ）に示すように、背アウターシェル２３を構成する各エレメント２３ａ〜２３ｆの外周には前向きの壁状リブ６３が形成されており、バンドヒンジ５５は、リブの端面に重なっている。このため、各エレメント２３ａ〜２３ｆの剛性を高めつつ、バンドヒンジ５５を容易に成形することができる。
【００６６】
そして、金型装置では、スライド型６１を前進させた状態で各単位空間６０に溶融樹脂を注入してから固まらせることによって各エレメント２３ａ〜２３ｆを形成し、次いで、スライド型６１を後退させることによってバンドヒンジ５５に相当する空間を形成し、この空間に溶融したエラストマーを注入して固まらせる。エラストマーが固まってバンドヒンジ５５が形成されから、型開きして製品を取り出す。
【００６７】
このように、二色成形法を採用すると、各エレメントａ〜ｆを正確に位置決めできるため、背アウターシェル２３を高い精度で製造できる。また、バンドヒンジ５５は正確に形成されるため、エレメンド同士の連結強度にも優れている。バンドヒンジ５５の成形手段としては、インサート成形法も採用できる。これは、スライド型６１を備えていない金型装置を使用して、金型装置の所定位置にエレメント２３ａ〜２３ｆセットしてから、バンドヒンジ５５に対応した空間にエラストマーを注入して固まらせることになる。
【００６８】
実施形態では、バンドヒンジヒンジ５５は、背アウターシェルの壁状リブの端面（前面）に接着されているが、隣り合った単位シェル体の間の隙間に充填させることも可能である。或いは、単位シェル体の間の隙間に充填しつつ、単位シェル体の後面まで広げることも可能である。このようにすると、バンドヒンジヒンジ５５と背アウターシェルとの接合面積を増大できるため、接着強度を向上できる利点がある。逆に、背アウターシェルの手前側について見ると、バンドヒンジ５５を、壁状リブを包み込む状態に形成することも可能である。この場合も、バンドヒンジ５５と背アウターシェルとの接合面積を増大して接着強度を向上できる。
【００６９】
図１０，１１，８に示すように、バンドヒンジ５５の上端部と、上段のサイドエレメント３３と中段のサイドエレメント３４とを繋ぐ部分の先端とには、突起５５ａを設けている。突起５５ａは、背アウターシェル２３のエレメントに空けた突起（図示せず）を覆っている。このため、バンドヒンジ５５が各エレメント２３ａ〜２３ｆから剥がれることが、より確実に防止される。
【００７０】
バンドヒンジ５５の剥離防止手段としては、背アウターシェル２３に突設したボスにバンドヒンジ５５を嵌め込んだ状態に成形して、ボスの先端部を潰して頭をつくり、頭でバンドヒンジ５５を押さえ保持することが可能である。或いは、押さえ板をバンドヒンジ５５に手前から重ねて、押さえ板を背アウターシェル２３に固定してもよい。
【００７１】
既述のとおり、背アウターシェル２３を構成する各エレメント２３ａ〜２３ｆは、外周に壁状リブ６３が形成されている。背インナー枠４２は、リブ６３で囲われた凹所に配置されている。このため、背インナー枠４２はずれ不能に保持されている。                    
【００７２】
既述のように、背インナー枠４２は、背アウターシェル２３の外周のリブ６３で囲われている。従って、背インナー枠４２を内部に配置しても美観の問題は生じない。また、背インナー枠４２が背アウターシェル２３に対して正確に位置決めされる。
【００７３】
上記の実施形態は背アウターシェルに適用したが、本願発明は、背インナーシェル、座背アウターシェル、座インナーシェル、ヘッドレスト用アウターシェル、ヘッドレスト用インナーシェル肘当てのシェル板、ショルダーレストの背アウターシェル又は背インナー枠など、他の様々な身体支持体にも適用できる。また、クッション材を備えている場合、各エレメントの片面又は両面に、クッション材をインサート成形法又は二色成形法によって一体に固着することも可能である。
【産業上の利用可能性】
【００７４】
本願発明は、背アウターシェルのような椅子用身体支持体に具体化できる。従って、産業上利用できる。
【符号の説明】
【００７５】
３  背もたれ
２３  身体支持体の一例としての背アウターシェル
２３ａ〜２３ｆ  背アウターシェルを構成するエレメント（単位シェル体）
２４  背クッション材
２４ａ〜２４ｆ  背クッション材を構成するエレメント
３０  背クッション材のエレメントを区画する溝
５５  バンドヒンジ（帯状軟質樹脂材）
５８  固定型
５９  可動型
６１  スライド型
【図１】
2017086374.tif 000003
【図２】
2017086374.tif 000004
【図３】
2017086374.tif 000005
【図４】
2017086374.tif 000006
【図５】
2017086374.tif 000007
【図６】
2017086374.tif 000008
【図７】
2017086374.tif 000009
【図８】
2017086374.tif 000010
【図９】
2017086374.tif 000011
【図１０】
2017086374.tif 000012